(57)【要約】【課題】  原稿に所要の印字を行なう印字手段による印字位置が固定されている。【解決手段】  使用者がＴＷＡＩＮドライバ１０３上の「印字設定」ボタンを選択することで印字設定画面２００が表示され、画像読取装置１００のエンドーサユニット３１によって原稿に印字する印字位置の基準として原稿先端又は原稿後端及び基準からの長さ（距離）を指定することで、画像読取装置１００のエンドーサユニット３１は原稿の指定された印字位置に所要の印字を行なう。【選択図】  図７
2007053417.tif 000002
【特許請求の範囲】
【請求項１】
原稿搬送手段により搬送される原稿の画像を読み取るとともに、前記原稿に印字を行う印字手段を備える画像読取装置において、前記印字手段で印字する印字位置を指定する手段を備えていることを特徴とする画像読取装置。
【請求項２】
請求項１に記載の画像読取装置において、印字の基準端として原稿先端又は原稿後端を選択的に指定可能であることを特徴とする画像読取装置。
【請求項３】
請求項２に記載の画像読取装置において、前記基準端から印字開始位置までの長さを指定可能であることを特徴とする画像読取装置。
【請求項４】
請求項２に記載の画像読取装置において、前記基準端から印字終了位置までの長さを指定することを特徴とする画像読取装置。
【請求項５】
請求項１ないし４のいずれかに記載の画像読取装置において、前記原稿が予め定めた特定位置から搬送された距離、前記特定位置から前記印字手段までの距離及び指定された印字位置に基づいて印字開始タイミングを決定することを特徴とする画像読取装置。
【請求項６】
請求項１ないし５のいずれかに記載の画像読取装置において、前記原稿の先端近傍及び後端近傍を印字位置として指定できないことを特徴とする画像読取装置。
【請求項７】
請求項１ないし６のいずれかに記載の画像読取装置において、前記原稿のサイズに基づいて印字位置として指定可能な範囲を変更することを特徴とする画像読取装置。
【請求項８】
請求項１ないし７のいずれかに記載の画像読取装置において、前記印字手段による印字は前記原稿を搬送しながら行うことを特徴とする画像読取装置。
【請求項９】
請求項１ないし８のいずれかに記載の画像読取装置において、前記印字手段は記録液の液滴を吐出して画像を印字する手段であることを特徴とする画像読取装置。
【請求項１０】
原稿搬送手段により搬送される原稿の画像を読み取るとともに、前記原稿に印字を行う印字手段を備える画像読取装置を制御するための画像読取装置用ドライバにおいて、前記画像読取装置の印字手段による印字位置を指定するための処理をコンピュータに実行させることを特徴とする画像読取装置用ドライバ。
【発明の詳細な説明】
【技術分野】
【０００１】
本発明は画像読取装置及び画像読取装置用ドライバに関し、特に原稿に印字することが可能な画像読取装置及び原稿に印字することが可能な画像読取装置を制御するためのドライバに関する。
【背景技術】
【０００２】
一般に、原稿画像を読み取る画像読取装置としてスキャナ装置、画像読取装置を備えるファクシミリ装置やコピー装置（複写機）、プリンタ／ファックス／コピアの機能を複合した複合機などの各種画像形成装置が知られている。
【０００３】
このような画像読取装置において、例えば特許文献１などにも記載されているように、原稿が読み込まれたことの確認や、その読み取った原稿の内容を後で検索する目的で、原稿の端部や裏面のいずれかに記号や文字列等の印字を行うエンドーサ装置が設けられているものがある。
【特許文献１】特開２０００−０６９２４２号公報
【０００４】
この特許文献１に記載の画像読取装置においては、印字手段による印字位置を設定手段で設定された読取範囲に対して設定する第１モード又は原稿を基準にして該原稿の搬送方向後端部から所定の位置に設定する第２モードを設定可能な手段と、原稿の長さを検知する検知手段とを備えて、第１モードが設定されているときに、読取範囲以下の長さの原稿が検知された場合に、第２モードに自動的に切換えるようにして、読取エリアよりも原稿の長さが短い場合でも読取りが終了した原稿にマーキングを行えるようにしている。
【発明の開示】
【発明が解決しようとする課題】
【０００５】
しかしながら、特許文献１に記載の画像読取装置にあっては、エンドーサ装置によって印字を行う印字位置が固定されているという不都合がある。
【０００６】
本発明は上記の課題に鑑みてなされたものであり、印字位置を任意に設定可能な画像読取装置及び画像読取装置用ドライバを提供することを目的とする。
【課題を解決するための手段】
【０００７】
上記の課題を解決するため、本発明に係る画像読取装置は、原稿に印字を行う印字手段による印字位置を指定する手段を備えている構成とした。なお、「画像読取装置」とは、本明細書では、スキャナ装置などの読取り単機能の装置だけでなく、ファクシミリ装置、複写装置などスキャナ装置を含む画像形成装置をも意味するものとする。
【０００８】
ここで、印字の基準端として原稿先端又は原稿後端を選択的に指定可能であることが好ましい。この場合、基準端から印字開始位置までの長さを指定可能である構成とし、あるいは、基準端から印字終了位置までの長さを指定可能である構成とすることができる。また、原稿が予め定めた特定位置から搬送された距離、特定位置から印字手段までの距離及び指定された印字位置に基づいて印字開始タイミングを決定することが好ましい。さらに、原稿の先端近傍及び後端近傍を印字位置として指定できないことが好ましい。
【０００９】
また、原稿のサイズに基づいて印字位置として指定可能な範囲を変更することが好ましい。さらに、印字手段による印字は原稿を搬送しながら行われることが好ましく、印字手段は記録液の液滴を吐出して画像を印字する手段とすることができる。
【００１０】
本発明に係る画像読取装置用ドライバは、原稿搬送手段により搬送される原稿の画像を読み取るとともに、原稿に印字を行う印字手段を備える画像読取装置を制御するための画像読取装置用ドライバであって、印字手段による印字位置を指定するための処理をコンピュータに実行させる構成とした。
【発明の効果】
【００１１】
本発明に係る画像読取装置によれば、原稿に印字を行う印字手段による印字位置を指定する手段を備えているので、原稿の任意の位置に印字を行うことができる。また、本発明に係る画像読取装置用ドライバによれば、原稿に印字を行う印字手段による印字位置を指定する処理をコンピュータに行わせるので、画像読取装置側で原稿の任意の位置に印字を行うことができる。
【発明を実施するための最良の形態】
【００１２】
以下、本発明の実施の形態について添付図面を参照して説明する。図１は、本発明に係る画像読取装置用ドライバによって制御される画像読取装置の一例の全体構成の概要を示す説明図である。
この画像読取装置は、読み取り対象原稿を固定するフラットベッドタイプと原稿を搬送しながら読み取る原稿移動タイプの両方で原稿の読み取りが可能な構成としている。
【００１３】
原稿固定の場合、原稿台ガラス１上に置かれた原稿は、第１ミラー２と一体に構成された照明ランプ３により照射され、その反射光は、第１ミラー２、第２ミラー４、及び第２ミラー４と一体に構成された第３ミラー５を経て、レンズ６により集束され、ＣＣＤ７に照射され光電変換される。
【００１４】
ここで、第１ミラー２と照明ランプ３並びに第２ミラー４と第３ミラー５は、走行体モータ７を駆動源として、矢示Ａ方向に移動可能となっている。
【００１５】
一方、原稿移動の場合、原稿トレイ１１に積載された原稿は、ピックアップローラ１２、レジストローラ対１３、搬送ドラム１４、搬送ローラ１５により、一枚ずつ分離されて搬送され、読取位置Ｂを経て、搬送ローラ対１６及び排紙ローラ対１７へ送り込まれ、排紙トレイ１８上に排出される。
【００１６】
原稿は、読取位置Ｂを通過する際に、読取位置Ｂ近傍に移動され定置されている照明ランプ３により照射され、上述したように、その反射光は、第１ミラー２、第２ミラー４、及び第２ミラー４と一体に構成された第３ミラー５を経て、レンズ６により集束され、ＣＣＤ７に照射され光電変換される。
【００１７】
なお、ピックアップローラ１２、レジストローラ対１３は、図示しない給紙モータによって駆動され、搬送ドラム１４、搬送ローラ１５、搬送ローラ対１６、排紙ローラ対１７は、図示しない搬送モータによって駆動される。
【００１８】
また、原稿移動タイプの動作において、読取位置Ｃには密着イメージセンサ２１が設置されている。密着イメージセンサ２１は、光源であるＬＥＤ等の図示しないランプ、レンズ及びセンサ素子で構成されている。原稿は、読取位置Ｃを通過するときに、読取位置Ｂで読み取られた反対の面（裏面）を読取位置Ｃに設置されている密着イメージセンサ２１内のＬＥＤにより照射され、その反射光は密着イメージセンサ２１上のレンズにより集束され、密着イメージセンサ２１上のセンサ素子を照射し、光電変換される。
【００１９】
なお、密着イメージセンサ２１の原稿搬送路を挟んだ対向部には白色ローラ２２が設置されていて、密着イメージセンサ２１による読取時のシェーディング補正用白基準部材として使用される。
【００２０】
そして、読取位置Ｂに対して原稿搬送方向下流側で、排紙ローラ対１７の下流直後、かつ排紙口部３０上に、原稿に印字を行う印字装置であるエンドーサユニット（インプリンタ）３１が設置されている。
【００２１】
このエンドーサユニット３１は、電気熱変換体を用いて膜沸騰で記録液（インク）の液滴を吐出するサーマル型インクジェットヘッドと、このインクジェットヘッドに対するインクを保持供給するインクタンクとを一体にしたヘッド一体型カートリッジを備え、このヘッド一体型カートリッジを原稿の搬送方向と直交する方向に移動可能に設けている。
【００２２】
このように、印字手段として記録液（インク）の液滴を吐出して記録（印字）を行うインクジェットヘッドを用いることによって、原稿を搬送しながら印字することができるために、印字しない場合と比べても生産性が低下しないとともに、カートリッジ交換でインクを補充できるために扱いが容易になる。
【００２３】
原稿はエンドーサユニット３１のヘッド直下を経由して搬送され、エンドーサユニット３１は後述するようにホスト側のＴＷＩＮドライバによって指定された印字位置に、搬送と連動した速度でインクを吐出させることで、原稿面にアルファベット文字や数字などの所要の印字を行う。
【００２４】
このエンドーサユニット３１の一例について図２ないし図４を参照して説明する。図２は同エンドーサ装置の斜視説明図、図３は同エンドーサ装置の図２と反対側から見た斜視説明図、図４は同エンドーサ装置の側面説明図である。
【００２５】
エンドーサユニット３１は、上述したように画像読取装置の原稿排紙部（排紙ローラ対１７）の下流直後、かつ排紙口部３０上に設置する。このエンドーサユニット３１は、画像読取装置に取付けるベース３２の表面側（画像読取装置に取り付けたときに外側になる面）に、案内部材であるスライダシャフト３３が架け渡され、このスライダシャフト３３にスライダ３４が移動可能に装着され、このスライダ３４に、原稿に印字を行なう印字手段であるカートリッジ（ヘッドユニット）３５を保持したカバー３６を開閉可能に保持している。
【００２６】
スライダ３４には、カバー３６を保持するキャッチ２１と、スライダフリクション４２が設けられている。また、カバー３６には、ヘッドユニット３５と、図示しない液だれ防止シャッタと、シャッタ検知センサ４３と、用紙検知センサ４４が設けられ、ヘッドユニット３５、シャッタ検知センサ４３、用紙検知センサ４４からのハーネスがそれぞれ中継基板４５にて統合され、中継基板４５には統合されたケーブル４６が接続されている。
【００２７】
また、ベース３２の裏面側（画像読取装置に取り付けたときに内側になる面）には、制御基板５１が取付けられている。この制御基板５１には画像読取装置本体側と接続するためのコネクタ５２を有するケーブル５３が接続されている。そして、中継基板４５から引き出したケーブル４６の他端部側はベース３２の原稿幅方向に設けた切り欠き部３７を介して制御基板５１に接続している。
【００２８】
さらに、スライダ３２とカバー３６とは図４に示すように回動部６１を介して回動可能に連結し、カバー３６を回動部６１を支点として図４に示す矢示方向に開閉可能にスライダ３２に保持している。そして、この開閉可能なカバー３６は、スライダ３２に設けられたキャッチ部３７にて固定保持することによって閉状態に保持される。この実施形態ではキャッチ部３７はマグネット式としているが、ラッチ式など開閉可能な状態でカバーを保持できる方式であれば良い。
【００２９】
ヘッドユニット３５は、上述したように、記録液の液滴を吐出する記録ヘッド及び記録ヘッドに記録液を供給する記録液タンクとを一体化したものである。なお、記録ヘッドと記録液タンクを別体の構成とすることもできる。
【００３０】
カバー３６は、内部にフレーム部３９を持ち、このフレーム部３９及びカバー３６には前述したように液だれ防止シャッタ、シャッタ検知センサ４３、用紙検知センサ４４がヘッドユニット３５とともに固定されている。
【００３１】
次に、この画像読取装置の制御部などの構成について図５のブロック図を参照して説明する。
ＳＢＵ（センサボードユニット）７０上のＣＣＤ７に入光した原稿の反射光は、ＣＣＤ７内で光の強度に応じた電圧値を持つアナログ信号に変換される。アナログ信号は、奇数ビットと偶数ビットに分かれて出力される。上記アナログ画像信号は、ＳＢＵ７０上でアナログ処理回路（図示せず）暗電位部分が取り除かれ、奇数ビットと偶数ビットが合成され、所定の振幅にゲイン調整された後にＡ／Ｄコンバータに入力されデジタル信号化される。
【００３２】
そして、デジタル化された画像信号は、ＳＣＵ（スキャナコントロールユニット）７１上のＮＩＰＵ７３で、シェーディング補正、ガンマ補正、ＭＴＦ補正等が行われた後、２値化され、ページ同期信号、ライン同期信号、画像クロックとともにビデオ信号として出力される。ＮＩＰＵ７３から出力されたビデオ信号は、コネクタ７４を介してオプションＩＰＵ８１へ出力されている。
【００３３】
オプションＩＰＵ８１へ出力されたビデオ信号は、オプションＩＰＵ８１内で所定の画像処理が行われ、再びＳＣＵ７１へ入力される。再びＳＣＵ７１へ入力されたビデオ信号は、セレクタ（図示せず）に入力される。また、セレクタのもう一方の入力はＮＩＰＵ７３から出力されたビデオ信号となっていて、オプションＩＰＵ８１で画像処理するかしないかを選択できる構成となっている。
【００３４】
そして、図示しない上記セレクタから出力されたビデオ信号は、画像データ記憶手段（ＤＲＡＭ）を管理するＳｉＢＣ７５に入力され、ＤＲＡＭ８０で構成される画像メモリに蓄えられる。画像メモリ８０に蓄えられた画像データは、ＳＣＳＩコントローラ７６あるいはネットワークコントローラ８２に送られ、パソコン等の外部装置へ転送される。
【００３５】
一方、密着イメージセンサ２１で光電変換されたアナログ画像信号は、ＲＳＢＵ８３上でデジタル変換される。デジタル化された画像信号は、ＲＳＢＵ８３上でシェーディング補正が施された後に、ＲＣＵ８４へ送られる。ＲＣＵ８４は、ＤＲＡＭで構成される画像メモリ８０と画像データメモリを制御するＳｉＢＣ７５で構成され、画像データをいったん画像メモリ８０に蓄積した後にＳＣＵ７１へ転送する。ＲＣＵ８４からＳＣＵ７１へ送られた画像データと、ＳＣＵ７１上のＳｉＢＣ７５から出力される画像データは切り替え可能となっており、いずれかの画像データを選択してＳＣＳＩコントローラ７６へ転送される。
【００３６】
ＳＣＵ７１上には、ＣＰＵ７７、ＲＯＭ７８、ＲＡＭ７９が実装されており、ＣＰＵ
７７は、ＳＣＳＩコントローラ７６あるいはネットワークコントローラ７７を制御してパソコン等の外部装置との通信を行う。また、ＣＰＵ７７は、ステッピングモータである走行体モータ８、図示しない給紙モータ、搬送モータのタイミング制御も行っている。ＡＤＵ９０は、自動原稿搬送機構（ＡＤＦ）部に用いる電装部品の電力供給を中継する機能を有する。
【００３７】
ＣＰＵ７７は、ＡＤＵ９０を経由して入力ポートに接続されているセンサ群９１により、ＡＤＦ内部および原稿トレイ１１上の原稿状態・原稿位置を監視する。また、ＣＰＵ７７は、原稿トレイ１１上に載置された原稿について、所定位置に配置された２つの原稿長さサイズセンサ（図示せず）と、原稿トレイ１１上で原稿左右方向に原稿束を規制するサイドフェンス（図示せず）に配置された２つの原稿幅サイズセンサ（図示せず）の状態から、原稿がトレイ上に載置された時点で原稿サイズを判定する。
【００３８】
ＳＣＵ７１上のＣＰＵ７７に接続されている入力ポートは、ＩＯＢ９４を介して本体操作パネル９５に接続されている。本体操作パネル９５上にはスタートスイッチ（図示せず）とアボートスイッチ（図示せず）と、ＬＥＤ（図示せず）が実装されている。それぞれのスイッチが押下されると入力ポートを介してＣＰＵ７７はスイッチがＯＮされたことを検出する。また、ＬＥＤには装置の状態を表示する。
【００３９】
エンドーサユニット（インプリンタ）３１は、ＳＣＵ（メイン制御基板）７１より送信された文字情報を元に制御基板（エンドーサ基板）５１でインク吐出パターンへ変換し、カートリッジ（ヘッドユニット）３５へ電圧を供給する。ヘッドユニット３５は、内部のサーマル型ヘッドがエンドーサ基板５１からの電圧印加により加熱され、吐出口からインク滴を吐出して、搬送される原稿に対して、アルファベット文字、数字、記号などの所要の画像を印字する。
【００４０】
次に、この画像読取装置を含むシステムについて図６を参照して説明する。
上述した画像読取装置１００は、例えばＳＣＳＩケーブル１０１を介して、外部装置であるパーソナルコンピュータ（ホスト）１０２と接続されている。画像読取装置１００は、パーソナルコンピュータ１０２のソフトウェア（プログラム）として搭載される本発明に係る画像読取装置用ドライバであるＴＷＡＩＮドライバ１０３からの指示により原稿をスキャンし、画像データをパーソナルコンピュータ１０２に転送し、エンドーサユニット３１で原稿の指定された印字位置に対する印字を実施する。
【００４１】
使用者は、ホスト１０２のＴＷＡＩＮドライバ１０３に対して、読み取り解像度等の各種読み取り条件、及び画像読取装置の印字手段を構成するエンドーサユニット３１で原稿のどの位置に印字を行うか（印字位置）を指定することで、希望の画像を得、画像を得た印として原稿への印字を行わせることができる。
【００４２】
このように、画像読取装置用ドライバであるＴＷＡＩＮドライバ１０３によって、画像読取装置１００の対し、原稿に対してエンドーサユニット３１で印字する印字位置を指定できるようにすることで、原稿の任意の位置に確認済などの所要の印字を行うことができる。
【００４３】
そこで、上記した本発明に係るドライバであるＴＷＡＩＮドライバ１０３がコンピュータに行わせる処理について図７を参照して説明する。
ＴＷＡＩＮドライバ１０３は、ホスト１０２のコンピュータを通じて表示部に図７に示す印字設定画面２００を表示させる。
【００４４】
この印字設定画面２００では、ラジオボタン２０１により、印字基準を原稿先端するか、原稿後端とするかを選択指定することができる。また、ドロップダウンリスト２０２はその下のエディットボックス２０３に入力された数値が、ラジオボタン２０１によって選択された基準からどこまでの距離を示すかを選択するもので、本実施形態では、図示の「印字開始位置が」と、図示されていない「印字終了位置が」のいずれかを選択できるようになっている。エディットボックス２０４は、エンドーサユニット３１により原稿に印字する文字列を任意に指定するためのものであり、最大４０文字までの範囲で指定可能である。
【００４５】
使用者が印字設定画面２００を使用する場合、図示しないがＴＷＡＩＮドライバ１０３上の「印字設定」ボタンを選択する。この段階では、ＴＷＡＩＮドライバ１０３上には、読み取り解像度、ＡＤＦを使用するか、等の各種読み取り条件が設定済みである。
【００４６】
使用者が「印字設定」ボタンを選択すると、ＴＷＡＩＮドライバ１０３は、画像読取装置１００に原稿トレイ１１上に載置されている原稿のサイズを問い合わせ、原稿サイズ値が画像読取装置１００からＴＷＡＩＮドライバ１０３に通知される。その後、ＴＷＡＩＮドライバ１０３は、印字設定画面２００を表示する．
【００４７】
そして、印字設定画面２００では、使用者はエディットボックス２０４に、印字文字列を入力する。次に、ラジオボタン２０１により、指定する印字位置の基準を選択する。使用者が「原稿先端」を選択すると、ドロップダウンリスト２０２のデフォルト選択が「印字開始位置が」に変更される。また、使用者が「原稿後端」を選択すると、ドロップダウンリスト２０２のデフォルト選択が「印字終了位置が」に変更される。デフォルト選択されたものは、使用者の意思で違うものに再選択、変更できる。また、使用者は、エディットボックス２０３により、印字開始位置もしくは印字終了位置を数値で指定する。
【００４８】
その後、使用者は、設定に問題がないことを確認後、ＯＫボタン２０５により設定を確定できる。また、キャンセルボタン２０６により印字設定画面での変更を破棄できる。
【００４９】
このようにしてＴＷＡＩＮドライバ１０３で指定された印字位置に関する情報は、画像読取装置１００に与えられ、画像読取装置１００はインプリンタ（エンドーサユニット）３１を駆動制御して読取位置Ｂを通過後の原稿の指定された印字位置に所要の印字を行う。
【００５０】
ところで、画像読取装置では、印字品質が悪化するため、先端基準及び後端基準にかかわらず、原稿先端から所定の範囲（先端近傍）と原稿後端から所定の範囲（後端近傍）には印字が適していないことがある。この実施形態の画像読取装置では、原稿先端２０ｍｍと、原稿後端４３ｍｍへの印字が適していない。
【００５１】
また、後端基準の場合は、原稿トレイ１１上の原稿を分離・給紙開始後、ＡＤＦ内の所定位置に配置されているレジストセンサ９１Ａ（図５参照）を原稿後端が通過し、原稿後端位置を把握するまでの間は原稿への印字開始ができない。そのため、後端基準では、レジストセンサ９１Ａからエンドーサユニット３１の印字ヘッド位置までの距離（例えば２５０ｍｍ）が印字可能範囲となり、それより先端側には印字できない。また、１文字あたりの印字長さは２．４ｍｍである。
【００５２】
このような条件のもとで、例えば、Ａ４タテ原稿（２９７ｍｍ）とＡ５ヨコ原稿（１４８ｍｍ）に対する印字可能範囲と最大印字可能文字数は、次のとおりとなる。
【００５３】
Ａ４タテ原稿（２９７ｍｍ）
先端基準：先端２０ｍｍから後端４３ｍｍまでの間、最大４０文字
後端基準：後端２５０ｍｍから後端４３ｍｍまでの間、最大４０文字
Ａ５ヨコ原稿（１４８ｍｍ）
先端基準：先端２０ｍｍから後端４３ｍｍまでの間、最大４０文字
後端基準：先端２０ｍｍから後端４３ｍｍまでの間、最大３５文字
【００５４】
そこで、使用者がこの条件を満たさない設定をしようとした場合、ＴＷＡＩＮドライバ１０３は警告メッセージを表示し、印字位置として設定できないことを使用者に通知する。このように、印字不可能な範囲や印字品質がよくない原稿位置への印字を事前に防止することができ、使用者が望まない結果（代替のない原稿への低品質の印字など）になることを防止できるようになる。
【００５５】
より好ましくは、エディットボックス２０４で最大文字数を越える入力は受け付けないのがよい。また、印字位置指定のエディットボックス２０３の代わりに、スライダを使用し、設定可能範囲の上下限が自動設定されるようにすることが好ましい。
【００５６】
また、設定が面倒な使用者のためには、複数の設定を組み合わせ、より簡易的に選択可能な手段を設けるのも好ましい。
【００５７】
使用者がＴＷＡＩＮドライバ１０３に対して設定した読み取り条件、印字設定はＳＣＳＩコマンドを使用して画像読取装置１００に伝えられる。このとき、ドロップダウンリスト２０２で、「印字終了位置が」が選択されている場合は、文字のサイズ（１文字２．４ｍｍ）と、エディットボックス２０４で指定された文字の数Ｎから、２．４×Ｎの距離だけ先端側にずらすことで印字開始位置に換算され、画像読取装置１００に通知される．
【００５８】
画像読取装置１００は、ＡＤＦ内の読み取り位置より上流にあるレジストセンサ９１Ａが原稿を検出している時間内のステッピングモータへの出力パルス数をカウントすることで、原稿先端のレジストセンサ９１からの搬送距離Ｗを検出する。また、レジストセンサ９１Ａが原稿を検出し終わったときからのステッピングモータへの出力パルス数をカウントすることで、原稿後端のレジストセンサ９１Ａからの搬送距離Ｘを検出する。レジストセンサ９１Ａからエンドーサユニット３１の印字ヘッド位置までの距離Ｙはメカレイアウト上固定である。
【００５９】
したがって、印字開始のタイミングは、次のようにして決定することができる。
先端基準で、印字位置をＢで指定：レジストセンサ９１Ａが原稿を検出し始めてからの搬送距離Ｗ＝Ｙ＋Ｂになったとき
後端基準で、印字位置をＣで指定：レジストセンサ９１Ａが原稿を検出し終わってからの搬送距離Ｘ＝Ｙ−Ｃになったとき
【００６０】
なお、上記実施形態では画像読取装置用ドライバ（プログラム）によって画像読取装置の印字手段による印字位置を指定する構成で説明したが、画像読取装置自体に印字手段による印字位置を指定する手段を備える構成とすることもできる。
【図面の簡単な説明】
【００６１】
【図１】本発明に係る画像読取装置用ドライバによって制御される画像読取装置の一例の全体構成の概要を示す説明図である。
【図２】同エンドーサ装置の斜視説明図である。
【図３】同エンドーサ装置の図２と反対側から見た斜視説明図である。
【図４】同エンドーサ装置の側面説明図である。
【図５】同画像読取装置の制御部の一例を示すブロック図である。
【図６】同画像読取装置を含むシステムの一例を説明する説明図である。
【図７】本発明に係る画像読取装置用ドライバがコンピュータに行わせる印字位置の指定に関する処理の説明に供する説明図である。
【符号の説明】
【００６２】
１１…原稿トレイ
１２…ピックアップローラ
１３…レジストローラ対
１４…搬送ドラム
１５…搬送ローラ
１６…搬送ローラ対
１７…排紙ローラ対
１８…排紙トレイ
３１…エンドーサユニット（印字手段）
１００…画像読取装置
１０２…ホスト（パーソナルコンピュータ）
１０３…ＴＷＡＩＮドライバ（画像読取装置用ドライバ）
【図１】
2007053417.tif 000003
【図２】
2007053417.tif 000004
【図３】
2007053417.tif 000005
【図４】
2007053417.tif 000006
【図５】
2007053417.tif 000007
【図６】
2007053417.tif 000008
【図７】
2007053417.tif 000009